【手続補正書】
【提出日】平成19年7月20日(2007.7.20)
【手続補正１】
【補正対象書類名】特許請求の範囲
【補正対象項目名】全文
【補正方法】変更
【補正の内容】
【特許請求の範囲】
【請求項１】
２個以上の密閉形電池の内の少なくとも一つの密閉形電池の蓋板とほかの密閉形電池の外装缶の底部とをリング状の接続部品を介して接続した組電池であって、前記蓋部には前記リング状の接続部品の一方の面Ｘが溶接され、前記外装缶の底部には前記リング状の接続部品の他方の面Ｙが溶接されており、前記リング状の接続部品の一方の面Ｘおよび他方の面Ｙには、突起がそれぞれ形成され、前記一方の面Ｘに形成された突起の数は前記他方の面Ｙに形成された突起の数よりも多いことを特徴とする組電池。
【請求項２】
密閉形電池の外装缶の底部とリング状の接続部品の他方の面Ｙとの溶接は、密閉形電池間に電流を流すことによってなされたものであることを特徴とする請求項１に記載の組電池。
【請求項３】
密閉形電池の外装缶の底部とリング状の接続部品の他方の面Ｙとの溶接は、密閉形電池の蓋板とリング状の接続部品の一方の面Ｘとの溶接がおこなわれたあとになされたものであることを特徴とする請求項１または２に記載の組電池。
【手続補正２】
【補正対象書類名】明細書
【補正対象項目名】００１１
【補正方法】変更
【補正の内容】
【００１１】
本発明は、２個以上の密閉形電池の内の少なくとも一つの密閉形電池の蓋板とほかの密閉形電池の外装缶の底部とをリング状の接続部品を介して接続した組電池であって、前記蓋部には前記リング状の接続部品の一方の面Ｘが溶接され、前記外装缶の底部には前記リング状の接続部品の他方の面Ｙが溶接されており、前記リング状の接続部品の一方の面Ｘおよび他方の面Ｙには、突起がそれぞれ形成され、前記一方の面Ｘに形成された突起の数は前記他方の面Ｙに形成された突起の数よりも多いことを特徴とする組電池である。
【手続補正３】
【補正対象書類名】明細書
【補正対象項目名】００１２
【補正方法】変更
【補正の内容】
【００１２】
また、本発明の組電池においては、密閉形電池の外装缶の底部とリング状の接続部品の他方の面Ｙとの溶接は、密閉形電池間に電流を流すことによってなされたものであることが好ましい。
また、本発明の組電池においては、密閉形電池の外装缶の底部とリング状の接続部品の他方の面Ｙとの溶接は、密閉形電池の蓋板とリング状の接続部品の一方の面Ｘとの溶接がおこなわれたあとになされたものであることが好ましい。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】
本発明では、一方の密閉形電池の外装缶の底部と蓋部とを溶接により接続するための接続体として、リング状の接続部品を介在させることによって、低抵抗で高率放電特性に優れた組電池を実現できる。
【手続補正６】
【補正対象書類名】明細書
【補正対象項目名】００１５
【補正方法】変更
【補正の内容】
【００１５】
本発明の組電池の構造を図１を用いて説明する。
図１の組電池は、図１（ａ）に示す如く一方の二次密閉形電池１０の蓋板１２と他方の二次密閉形電池１０の外装缶の底部とをリード板で接続している。
二次密閉形電池１０は、ガスケット１４で絶縁された蓋板１２を第１の電極、外装缶１１を第２の電極としているので、蓋板１２に接続される接続体としてのリング状の接続部品２０が外装缶１１の一部であるカシメ凸条１６に接触するとショートする。したがって、図６の組電池は、接続体２０とカシメ凸条１６とを保持キャップ３０で絶縁している。
【手続補正７】
【補正対象書類名】明細書
【補正対象項目名】００１７
【補正方法】変更
【補正の内容】
【００１７】
本発明の外装缶の底部と蓋部との溶接に使用するリング状の接続部品の第1の例を、図２を用いて以下に説明する。
図２において、（ａ）は、リング状の接続部品（２０）であって、厚さ０．４〜１．０ｍｍの金属板（ｃ）をリング状に曲げ加工したものである。
該金属板の材質は特に限定されるものではないが、Ｎｉ，Ｆｅ，ＮｉＦｅ（Ｎｉメッキ鋼板）やＣｕ（銅）を用いることができる。又、腐食を防止するためにＳｎ，Ａｇ，Ｎｉ等のメッキを施すこともできる。（図２の例では、厚さ０．７ｍｍのニッケル板を打ち抜き好ましくは、Ｎｉもしくは、ＣｕとＮｉの貼り合わせによるクラッド鋼板を用いると極めて低い抵抗が実現できることから望ましい。
またはワイヤカットで加工後に、リング状に曲げ加工されており、その直径は約１９ｍｍ、高さは約２．７ｍｍである）
（ｂ）は、その側面図であり、（ｄ）は図（ｃ）の２点鎖線部分の拡大図である。
（ａ）に示す如く、リング状の接続部品の形状はリング状の他に、多角形などでも良いが、構造が簡易なほぼ円形のリング状に曲げ加工されるのが望ましい。
また、図２では、円形のリングに切れ目ａ−１が存在しているが、この切れ目は、板状の素材を円形に加工したためであって、密閉形電池の排気弁から排出されたガスが系外へ排出される隙間を有していれば切れ目は必ずしも存在しなくても良い。
また、図２に記載のリング状の接続部品には、上部及び下部にそれぞれ複数の突起(２０ａ)が形成されている。
【手続補正８】
【補正対象書類名】明細書
【補正対象項目名】００１８
【補正方法】変更
【補正の内容】
【００１８】
また、本発明の外装缶の底部と蓋部との溶接に使用するリング状の接続部品第２の例を、図３を用いて以下に説明する。
図３において、（ａ）は、リング状の接続部品（２０）であって、厚さ０．４〜１．０ｍｍのＮｉまたはＦｅＮｉ（ニッケルメッキ鋼板）（ｃ）をリング状に曲げ加工したものである。（図４の例では、厚さ０．７ｍｍのニッケル板をワイヤカットで加工後に、リング状に曲げ加工されており、その直径は約１９ｍｍ、高さは約２．７ｍｍである）
（ｂ）は、側面図であり、（ｄ）は図（ｃ）の２点鎖線部分の拡大図である。
（ａ）に示す如く、リング状の接続部品の形状はリング状の他に、多角形などでも良いが、構造が簡易なほぼ円形のリング状に曲げ加工されるのが望ましい。
また、図４では、円形のリングに切れ目ａ−１が存在しているが、この切れ目は、板状の素材を円形に加工したためであって、切れ目は必ずしも存在しなくても良い。
【手続補正９】
【補正対象書類名】明細書
【補正対象項目名】００１９
【補正方法】変更
【補正の内容】
【００１９】
また、図３に記載のリング状の接続部品には、上部及び下部にそれぞれ複数の突起(２０ａ,２０ｂ)が形成されている。
また、図３の突起は上部と下部とでは異なった形状（下部の突起が長い）に形成されているが、必ずしも異なった形状とする必要はない。（図４の例では、長い突起は約２．０ｍｍ、短い突起は約０．５ｍｍ）
また、図３のリング状の接続部品に形成されている突起の数は、上部と下部で異なった数になっている。（図３の例では、下部に４個、上部に８個の突起が形成されている。）
リング状の接続部品に形成されている突起の数（又は突起の総面積）は、上部と下部とで異なった数にする理由は、蓋部が外装缶の底部よりも厚い部品を使うことが一般的であり、リング状の接続部品との溶接時には発熱量が大きくても溶接熱が周囲に逃げ、溶接が容易でないため、本発明では、先ず蓋部にリング状の接続部品の突起の数の多い面Ｘを溶接することによって、リング状の接続部品が強固に溶接でき、次にリング状の接続部品の他方の面Ｙ（突起の数の少ない面）を外装缶の底部に溶接するために電流を流した際に、先に溶接された部分に溶接電流が流れることによって破断することがなくなる。
【手続補正１０】
【補正対象書類名】明細書
【補正対象項目名】００２１
【補正方法】変更
【補正の内容】
【００２１】
図４は、図３に示す第２のリング状の接続部品の斜視図である。（図４では、リング状の接続部品の上部と下部の突起の形状が異なっているが、必ずしも異ならせる必要はない。）
また、リング状の接続部品に形成される突起には、溶接を確実に行うために高抵抗部分を形成するプロジェクションとするのが望ましい。
【手続補正１１】
【補正対象書類名】明細書
【補正対象項目名】００２２
【補正方法】変更
【補正の内容】
【００２２】
次に、本発明におけるリング状の接続部品を用いて一方の密閉形電池の外装缶の底部と他方の密閉形電池の蓋部との溶接の手順を説明する。
・本発明の特徴は、一方の密閉形電池の外装缶の底部と他方の密閉形電池の蓋部との溶接をリング状の接続部品を介して、両密閉形電池間に電流を流して溶接することにある。
なお、一方のセルの蓋の外面にリング状の接続部品を予め溶接しておくことが好ましいが、リング状の接続部品と蓋、リング状の接続部品と外装缶の底部を一括して溶接することもできる。
その際には、溶接電流を密閉形電池内を流れないので、突起の数は多くても良い。）
【手続補正１２】
【補正対象書類名】明細書
【補正対象項目名】００２４
【補正方法】変更
【補正の内容】
【００２４】
図５、図６は、本発明に係る組電池の組立工程のうち、密閉形電池間を接続するための前記リング状の接続部品２０の一方の溶接面と外装缶１０の底面を溶接する工程を示す図である。
図５に示すように、２個の密閉形電池を直列接続できるように一方の密閉形電池（図の下側の密閉形電池）の蓋１２の外面に溶接したリング状の接続部品２０の溶接面Ｙに設けた突起を他方の密閉形電池（図の上側の密閉形電池）の外装缶１０の底面に当接するように配置する。なお、２つの密閉形電池の間に絶縁リング１２を配置する。
前記一方の密閉形電池（図の下側の密閉形電池）及び他方の密閉形電池の外装缶に溶接用外部電源の出力端子ＡおよびＢを当接させ両出力端子Ａ、Ｂ間に交流パルスを通電して、前記リング状の接続部品２０と外装缶１０を溶接する。
【手続補正１３】
【補正対象書類名】明細書
【補正対象項目名】００２５
【補正方法】変更
【補正の内容】
【００２５】
また、図６に示すように、溶接用外部電源の出力端子Ａを他方の密閉形電池（図の上側の密閉形電池）の正極端子に当接させて、両出力端子Ａ、Ｂ間に交流パルスを通電して、前記ング状の接続部品２０と外装缶１０を溶接することもできる。
なお、図５及び図６に示した方法によれば、密閉形電池数が２個に限定されることなく、複数個直列に配列した密閉形電池の両端の密閉形電池のうち、一方の密閉形電池の負極端子（外装缶）に溶接用外部電源の出力端子Ａを、他方の密閉形電池の正極端子に溶接用外部電源の出力端子Ｂを当接し、交流パルスを通電することによって、複数個の密閉形電池間を一度に溶接することもできる。
【手続補正１４】
【補正対象書類名】明細書
【補正対象項目名】００３９
【補正方法】変更
【補正の内容】
【００３９】
前記載の単電池を２個用い、リング状の接続部品の１０点の突起がある側を１個の密閉形電池の蓋に抵抗溶接で溶接した。
リング状の接続部品を、８個の突起が２個目の外装缶に当接するように載置し、図５の様にして、１個目の密閉形電池の負極端子と、２個目の密閉形電池の負極端子とに外部電源を接続し、充電方向に３．５ｋＡ、通電時間４．５msec、放電報告３．５ｋA、通電時間４．５msecの通電を１サイクルとする交流パルスからなる溶接電流を２サイクル通電して、セル間をリング状の接続部品で接続した。
このようにして密閉形電池と密閉形電池がリング状の接続部品で接続された２個直列のニッケル水素組電池を作成した。
同様にして、この２個の密閉形電池にもう１個の密閉形電池を接続し、これを続けて６個直列のニッケル水素組電池を作成した。